(57)【要約】【課題】簡単に文字化けを修正することができる情報表示装置、サーバ装置、情報表示方法、情報表示プログラム及び情報表示プログラムを提供する。【解決手段】車載機２０は、設定文字コードに基づいてコンテンツ情報に含まれる文字データを変換した文字を表示部２７に表示させる。車載機２０は、表示部２７に表示された文字に対するユーザの反応を検出し、検出した反応に基づき設定文字コードに代わる代替文字コードの探索を開始させ、探索された代替文字コードに基づいて文字データを変換した文字を表示部２７に表示させる。【選択図】図３
2018156278.tif 000002
【特許請求の範囲】
【請求項１】
文字データを含むコンテンツ情報を取得する情報取得部と、
設定された設定文字コードに基づいて前記文字データを変換した文字を表示部に表示させる第１制御部と、
ユーザの反応を検出する検出部と、
前記検出部が検出した反応に基づき前記設定文字コードに代わる文字コードの探索を開始させ、探索された代替文字コードに基づいて前記文字データを変換した文字を前記表示部に表示させる第２制御部と、を備えたことを特徴とする情報表示装置。
【請求項２】
前記第２制御部は、前記ユーザの目の動きに関する所定の反応に応じて、前記文字コードの探索を開始させることを特徴とする請求項１に記載の情報表示装置。
【請求項３】
前記ユーザの目の動きに関する所定の反応は、所定のパターンの眼球又は瞼の動きであることを特徴とする請求項２に記載の情報表示装置。
【請求項４】
前記コンテンツ情報は、楽曲情報であって、
前記第２制御部は、前記楽曲情報の曲調解析結果に応じた優先度で探索された代替文字コードに基づいて前記文字データを変換した文字を前記表示部に表示させることを特徴とする請求項１〜３何れか１項に記載の情報表示装置。
【請求項５】
前記コンテンツ情報は、楽曲情報であって、
前記楽曲情報の再生音を収音する収音部を更に備え、
前記第２制御部は、前記収音部により収音された再生音の曲調解析結果に応じた優先度で探索された代替文字コードに基づいて前記文字データを変換した文字を前記表示部に表示させることを特徴とする請求項１〜３何れか１項に記載の情報表示装置。
【請求項６】
サーバ装置と通信可能な通信部を更に備え、
前記第２制御部は、前記通信部を介して通信を行うことにより前記サーバ装置に前記文字コードの探索を開始させることを特徴とする請求項１〜５何れか１項に記載の情報表示装置。
【請求項７】
サーバ装置と通信可能な通信部を更に備え、
前記第２制御部は、前記通信部を介して前記サーバ装置に前記楽曲情報の曲調解析を開始させることを特徴とする請求項４に記載の情報表示装置。
【請求項８】
前記第２制御部は、前記代替文字コードに基づいて前記文字データを変換した文字を前記表示部に表示させた後、前記検出部が検出したユーザの反応に基づき前記表示部に表示された文字の文字コードに前記代替文字コードを確定するか、再び文字コードの検索を開始させるかを判定することを特徴とする請求項１〜７何れか１項に記載の情報表示装置。
【請求項９】
前記第２制御部は、前記コンテンツ情報のソース源に対する前記確定された代替文字コードを学習した結果に応じた優先度で探索された前記代替文字コードに基づいて前記文字データを変換した文字を前記表示部に表示させることを特徴とする請求項８項に記載の情報表示装置。
【請求項１０】
請求項１〜９何れか１項に記載の情報表示装置と通信を行うサーバ装置であって、
前記情報表示装置との通信によって、前記代替文字コードの探索を開始することを特徴とするサーバ装置。
【請求項１１】
文字データを含むコンテンツ情報を取得する工程と、
設定された設定文字コードに基づいて前記文字データを変換した文字を表示部に表示させる工程と、
ユーザの反応を検出する工程と、
前記検出した反応に基づき前記設定文字コードに代わる文字コードの探索を開始させ、探索された代替文字コードに基づいて前記文字データを変換した文字を前記表示部に表示させる工程と、を備えたことを特徴とする情報表示方法。
【請求項１２】
情報表示装置を制御するコンピュータが実行する情報表示プログラムであって、
文字データを含むコンテンツ情報を取得する情報取得部と、
設定された設定文字コードに基づいて前記文字データを変換した文字を表示部に表示させる第１制御部と、
ユーザの反応を検出する検出部と、
前記検出部が検出した反応に基づき前記設定文字コードに代わる文字コードの探索を開始させ、探索された代替文字コードに基づいて前記文字データを変換した文字を前記表示部に表示させる第２制御部として、前記コンピュータを機能させることを特徴とする情報表示プログラム。
【請求項１３】
請求項１２に記載の情報表示プログラムが記録されていることを特徴とする記録媒体。
【発明の詳細な説明】
【技術分野】
【０００１】
本発明は、情報表示装置、サーバ装置、情報表示方法、情報表示プログラム及び情報表示プログラムを記録した記録媒体に関する。
【背景技術】
【０００２】
コンテンツ情報としての楽曲情報には、アーティスト名やアルバム名、ジャンルなどのタグ情報の文字データが含まれている。上記楽曲情報を再生する再生装置は、文字データを文字コードに基づいて文字に変換して、表示部に表示している。しかしながら、誤った文字コードに基づいて変換してしまうと、誤変換してしまい、いわゆる文字化けが発生する、という問題が一例として挙げられる。
【先行技術文献】
【特許文献】
【０００３】
【特許文献１】ＷＯ２０１２／１４８０７号公報
【発明の概要】
【発明が解決しようとする課題】
【０００４】
本発明は、このような問題点に対処することを課題の一例とするものである。即ち、本発明は、例えば、簡単に文字化けを修正することができる情報表示装置、サーバ装置、情報表示方法、情報表示プログラム及び情報表示プログラムを提供することを目的としている。
【課題を解決するための手段】
【０００５】
上述した課題を解決するため、請求項１に記載の情報表示装置は、文字データを含むコンテンツ情報を取得する情報取得部と、設定された設定文字コードに基づいて前記文字データを変換した文字を表示部に表示させる第１制御部と、前記表示部に表示された前記文字に対するユーザの反応を検出する検出部と、前記検出部が検出した反応に基づき前記設定文字コードに代わる代替文字コードの探索を開始させ、探索された前記代替文字コードに基づいて前記文字データを変換した文字を前記表示部に表示させる第２制御部と、を備えたことを特徴とする。
【０００６】
請求項１０に記載のサーバ装置は、請求項１に記載の情報表示装置と通信を行うサーバ装置であって、前記情報表示装置との通信によって、前記代替文字コードの探索を開始することを特徴とする。
【０００７】
請求項１１に記載の情報表示方法は、文字データを含むコンテンツ情報を取得する工程と、設定された設定文字コードに基づいて前記文字データを変換した文字を表示部に表示させる工程と、前記表示部に表示された前記文字に対するユーザの反応を検出する工程と、前記検出部が検出した反応に基づき前記設定文字コードに代わる代替文字コードの探索を開始させ、探索された前記代替文字コードに基づいて前記文字データを変換した文字を前記表示部に表示させる工程と、を備えたことを特徴とする。
【０００８】
請求項１２に記載の情報表示プログラムは、情報表示装置を制御するコンピュータが実行する情報表示プログラムであって、文字データを含むコンテンツ情報を取得する情報取得部と、設定された設定文字コードに基づいて前記文字データを変換した文字を表示部に表示させる第１制御部と、前記表示部に表示された前記文字に対するユーザの反応を検出する検出部と、前記検出部が検出した反応に基づき前記設定文字コードに代わる代替文字コードの探索を開始させ、探索された前記代替文字コードに基づいて前記文字データを変換した文字を前記表示部に表示させる第２制御部と、して前記コンピュータを機能させることを特徴とする。
【０００９】
請求項１３に記載の記録媒体は、請求項１２に記載の情報表示プログラムが記録されていることを特徴とする。
【図面の簡単な説明】
【００１０】
【図１】本発明の一実施例にかかる情報表示装置としての車載機を含む情報表示システムのブロック構成図である。
【図２】図１に示す車載機のブロック構成図である。
【図３】図１及び図２に示す車載機の処理手順を示すフローチャートである。
【発明を実施するための形態】
【００１１】
以下、本発明の一実施形態にかかる情報表示装置を説明する。本発明の一実施形態にかかる情報表示装置は、文字データを含むコンテンツ情報を取得する情報取得部と、設定された設定文字コードに基づいて文字データを変換した文字を表示部に表示させる第１制御部と、ユーザの反応を検出する検出部と、検出部が検出した反応に基づき設定文字コードに代わる文字コードの探索を開始させ、探索された代替文字コードに基づいて文字データを変換した文字を表示部に表示させる第２制御部と、を備えたことを特徴とする。これにより、ユーザは特定の反応をするだけで、代替文字コードに基づいて変換した文字が表示されるため、簡単に文字化けを修正することができる。
【００１２】
第２制御部は、ユーザの目の動きに関する所定の反応に応じて、文字コードの探索を開始させてもよい。ここで、ユーザの目の動きとは、例えば、視線の動きや、瞬きも含めた動きである。これにより、ユーザが普通の状態ではしないような目の動きや、予め取り決められた動きを検出すると、文字コードの探索が開始され、文字化けを修正することができる。
【００１３】
上記ユーザの目の動きに関する所定の反応は、所定のパターンの眼球又は瞼の動きであってもよい。目の動きのパターンを定めることにより、簡単に所定の目の動きを検出できる。
【００１４】
上記コンテンツ情報は、楽曲情報であって、第２制御部は、楽曲情報の曲調解析結果に応じた優先度で探索された代替文字コードに基づいて文字データを変換した文字を表示部に表示させるようにしてもよい。迅速に適切な文字コードを探索することができる。
【００１５】
また、楽曲情報の再生音を収音する収音部を更に備え、第２制御部は、収音部により収音された再生音の曲調解析結果に応じた優先度で探索された代替文字コードに基づいて文字データを変換した文字を表示部に表示させるようにしてもよい。
【００１６】
また、サーバ装置と通信可能な通信部を更に備え、第２制御部は、通信部を介して通信を行うことによりサーバ装置に文字コードの探索を開始させるようにしてもよい。これにより、複数の文字コードをサーバ装置に記憶させればよく、情報表示装置に記憶させる必要がないため、情報表示装置の記憶データ容量の削減やコストダウン等を図ることができる。
【００１７】
また、サーバ装置と通信可能な通信部を更に備え、第２制御部は、通信部を介してサーバ装置に楽曲情報の曲調解析を開始させるようにしてもよい。これにより、曲調解析がサーバ装置で行われるため、情報表示装置の処理量の軽減を図ることができる。
【００１８】
また、第２制御部は、代替文字コードに基づいて文字データを変換した文字を表示部に表示させた後、検出部が検出したユーザの反応に基づき表示部に表示された文字の文字コードに代替文字コードを確定するか、再び文字コードの検索を開始させるかを判定するようにしてもよい。一旦定めた代替文字コードが正しくなかった場合にも、更なるユーザの反応により、簡単に新たな代替文字コードを確定できる。
【００１９】
また、第２制御部は、コンテンツ情報のソース源に対する確定された代替文字コードを学習した結果に応じた優先度で探索された代替文字コードに基づいて文字データを変換した文字を前記表示部に表示させるようにしてもよい。これにより、迅速に適切な文字コードを探索することができる。
【００２０】
また、本発明の一実施形態にかかる情報表示方法は、文字データを含むコンテンツ情報を取得する工程と、設定された設定文字コードに基づいて前記文字データを変換した文字を表示部に表示させる工程と、ユーザの反応を検出する工程と、検出した反応に基づき設定文字コードに代わる文字コードの探索を開始させ、探索された代替文字コードに基づいて文字データを変換した文字を表示部に表示させる工程と、を備えたことを特徴とする。これにより、ユーザは特定の反応をするだけで、代替文字コードに基づいて変換した文字が表示されるため、簡単に文字化けを修正することができる。
【００２１】
また、上述した情報表示方法をコンピュータにより実行させる情報表示プログラムとしてもよい。このようにコンピュータにより実行されるプログラムであるので、専用のハードウェア等が不要となり、汎用の情報処理装置にインストールして機能させることができる。
【００２２】
また、上述した情報表示プログラムをコンピュータ読み取り可能な記録媒体に格納してもよい。このようにすることにより、当該プログラムを機器に組み込む以外に単体でも流通させることができ、バージョンアップ等も容易に行える。
【実施例】
【００２３】
以下、本実施例にかかる情報表示装置としての車載機を組み込んだ情報表示システムを図１及び図２を参照して説明する。
【００２４】
情報表示システム１は、サーバ装置１０と、例えば車両などに搭載されたオーディオ機器や、オーディオ機能を有するナビゲーション装置といった車載機２０と、を備えている。
【００２５】
サーバ装置１０は、事業所などに設置されたコンピュータなどで構成されている。このサーバ装置１０は、インターネットや公衆回線網などの通信網に接続されている。サーバ装置１０は、車載機２０と通信網を介して通信可能となっている。
【００２６】
サーバ装置１０は、図１に示すように、制御部１１と、通信部１２と、文字コードデータベース１３と、記憶部１４と、を備えている。
【００２７】
制御部１１は、例えばＲＡＭ（Random Access Memory）やＲＯＭ（Read Only Memory）などのメモリを備えたＣＰＵ（Central Processing Unit）を含んで構成されている。制御部１１は、サーバ装置１０の全体制御を司る。制御部１１は、車載機２０から送信された楽曲情報の曲調解析、文字コードの探索などを行う。
【００２８】
通信部１２は、通信網に接続され、車載機２０との通信を行う。文字コードデータベース１３には、例えばＪＩＳ、ＳＪＩＳ、ＵＴＦ８、ＵＴＦ１６などの複数種類の文字コードが記憶されているデータベースである。記憶部１４は、例えばハードディスクや不揮発性メモリなどの記憶装置で構成されている。記憶部１４は、サーバ装置１０での処理に必要な各種情報が記憶される。
【００２９】
本実施例において、サーバ装置１０は、図１において１つのサーバ装置１０で構成されていたが、これに限定されず、例えば、制御部１１が行う動作と通信部１２が行う動作を別々のサーバ装置１０（演算サーバ装置と配信サーバ装置）に分割してもよい。即ち、サーバ装置１０は複数のサーバ装置群で構成されていてもよい。このような場合、各サーバ装置１０は互いに離れた位置に設置され、通信網を通じて通信し合うように構成されていてもよい。
【００３０】
車載機２０は、図２に示すように、制御部２１と、通信部２２と、記憶装置２３と、情報取得部２４と、撮像部２５と、操作部２６と、表示部２７と、音出力部２８と、音入力部２９と、を備えている。
【００３１】
制御部２１は、例えばＲＡＭやＲＯＭなどのメモリを備えたＣＰＵで構成され、車載機２０全体の制御を司る。
【００３２】
通信部２２は、通信網に接続され、サーバ装置１０との通信を行う。なお、本実施例では、通信部２２が車載機２０に一体に設けられている例を示すが、カード型の通信装置や携帯電話をケーブル等で接続するなど通信部２２を別体として構成され、車載機２０と着脱自在となっていてもよい。
【００３３】
記憶装置２３は、例えばハードディスクや不揮発性メモリなどで構成されており、制御部２１が車載機２０を制御するためのプログラムやデータ、例えばＡＳＣＩＩなどの設定された設定文字コードなどが格納され、制御部２１からの制御により読み書きがなされる。
【００３４】
情報取得部２４は、楽曲情報を取得する。情報取得部２４は、例えば、ＵＳＢメモリに記録された楽曲情報を取得するためのＵＳＢ入力端子や、ＣＤやＤＶＤなどの光記録媒体に記録された楽曲情報を取得するための光読込装置、スマートフォンなどの通信機器に記録された楽曲情報を通信により取得するための例えばＢＴ（Bluetooth（登録商標））通信部などから構成されている。
【００３５】
撮像部２５は、ユーザの顔を撮像するカメラなどから構成されている。
【００３６】
操作部２６は、ボタンやタッチパネルなどの入力部で構成されている。操作部２６は、車載機２０の各種入力操作が行われ、入力操作を示す制御信号が制御部２１に出力される。
【００３７】
表示部２７は、液晶ディスプレイや該液晶ディスプレイを制御するドライバ回路等から構成され、制御部２１からの制御により上記楽曲情報に含まれるタグ情報が表示される。
【００３８】
音出力部２８は、スピーカおよびスピーカを駆動するアンプ等から構成され、制御部２１からの制御により上記楽曲情報の再生音が出力される。
【００３９】
収音部としての音入力部２９は、マイクなどから構成され、ユーザの発話などを取得する。
【００４０】
次に、上述した構成の情報表示システムの動作の一例について図３を参照して説明する。図３のフローチャートは、車載機２０で実行される。また、車載機２０の制御部２１が、このフローチャートをコンピュータプログラムとすることで、情報表示方法をコンピュータにより実行させる情報表示プログラムとなる。
【００４１】
車載機２０の制御部２１（以下、車載機２０と略記する）は、ユーザが操作部２６を操作して楽曲情報の再生操作を行うと、情報取得部２４から楽曲情報を取得して、楽曲情報の再生音を音出力部２８から出力させる。再生操作に応じて、車載機２０は、図３に示す情報表示処理を実行して、再生されている楽曲情報のタグ情報を表示部２７に表示する。
【００４２】
まず、車載機２０は、楽曲情報のタグ情報に含まれる文字データを読み取る（ステップＳ１）。次に、車載機２０は、第１制御部として機能し、文字データを記憶装置２３に記憶された設定文字コードに基づいて変換し、変換した文字を表示部２７に表示させる（ステップＳ２）。例えば、日本語の漢字やカタカナに対応した文字データであるのに対して、設定文字コードがＡＳＣＩＩなどのアルファベットやキリル文字などに対応したものであると、文字化けしてしまう。尚、当該文字化けには、文字データに対して、対応した文字がなければ空白となることも含まれる。
【００４３】
次に、車載機２０は、検出部及び第２制御部として機能し、この表示に対するユーザの反応を検出し、文字コードの探索を開始するかを判定する（ステップＳ３）。このステップＳ３において、車載機２０は、例えば、撮像部２５により撮像されたユーザの顔からユーザの目の動きに所定の反応があったとき、文字コードの探索を開始させると判定する。車載機２０は、瞬きＸ回や眼球を左右に動かすなどの所定のパターンの眼球又は瞼の動きがあれば、所定の反応があり、文字コードの探索を開始させると判定して（ステップＳ３でＹ）、ステップＳ４に進む。また、ステップＳ３において、車載機２０は、音入力部２９により入力された音（例えば、ユーザが「違う」と発話した際の音声入力等）から、文字コードの探索を開始すると判定する。
【００４４】
一方、車載機２０は、所定のパターンの眼球又は瞼の動きがなく、かつ、「違う」との発話もなければ、ユーザが何の反応も示しておらず、代替文字コードの探索を開始する必要がないと判定して（ステップＳ３でＮ）、直ちに処理を終了する。この場合、予め設定された所定時間（例えば１０秒等）を経過したことで代替文字コードの探索を開始する必要がないと判定することでも構わない。
【００４５】
ステップＳ４において、車載機２０は、サーバ装置１０に探索命令を送信して、サーバ装置１０に設定文字コードに代わる文字コードの探索を開始させる。探索命令を受信すると、サーバ装置１０は、文字コードデータベース１３内を探索し、文字コードデータベース１３内に記憶された複数の文字コードの１つを車載機２０に送信する。
【００４６】
ここで、サーバ装置１０は、例えば、複数の文字コードのうち車載機２０が選択している言語に応じた優先度で文字コードを探索して送信するようにしてもよい。この場合、車載機２０は、探索命令に選択している言語の情報を含めればよい。
【００４７】
また、サーバ装置１０は、例えば、楽曲情報の曲調を解析して、曲調解析結果に応じた優先度で文字コードを検索するようにしてもよい。具体的には、サーバ装置１０は、曲調解析結果によってその楽曲情報のジャンル（演歌、ロシア民謡、サンバ、タンゴ、インドのダンスミュージック、クラシックなど）を判別し、ジャンルに対応する言語に応じた優先度で文字コードを検索して送信する。サーバ装置１０は、例えば、ジャンルが演歌であれば、日本語に対応する文字コードを優先的に送信し、ロシア民謡であれば、ロシア語に対応する文字コードを優先的に送信する。また、サーバ装置１０は、曲調解析結果から曲そのものを特定して、特定した曲に対応する文字コードを送信するようにしてもよい。
【００４８】
車載機２０は、サーバ装置１０に曲調解析を行わせるために、検索命令に楽曲情報の一部を含める。この楽曲情報としては、情報取得部２４から取得した楽曲情報の一部をそのまま含めるようにしてもよいし、音出力部２８から出力した再生音を音入力部２９で収音したものを含めるようにしてもよい。
【００４９】
車載機２０は、文字コードを受信すると（ステップＳ５でＹ）、受信した文字コードを代替文字コードとし、その代替文字コードに基づいて文字データを変換し、変換した文字を表示させる（ステップＳ６）。その後、再び車載機２０は、ユーザの反応を検出し、再び、文字コードの探索を開始するかを判定する（ステップＳ７）。このステップＳ７において、車載機２０は、撮像部２５により撮像されたユーザの顔からユーザの目の動きを検出する。例えば、車載機２０は、ステップＳ３と同様に、瞬きをＸ回や眼球を左右に動かすなどの所定のパターンの眼球又は瞼の動きがあれば、再び文字コードの探索を開始すると判定して（ステップＳ７でＹ）、ステップＳ４に戻る。また、車載機２０は、ユーザが例えば「違う」と発話すれば、再び文字コードの探索を開始すると判定して（ステップＳ７でＮ）、ステップＳ４に戻る。
【００５０】
ステップＳ４に戻ると、車載機２０は、再びサーバ装置１０に対して探索命令を送信して、サーバ装置１０に設定文字コードに代わる文字コードの探索を開始させる。これにより、サーバ装置１０は、再び文字コードの探索を開始し、送信していない文字コードの１つを車載機２０に送信する。即ち、サーバ装置１０は、探索命令を受信する毎に、文字コードを順次送信する。
【００５１】
一方、車載機２０は所定のパターンとは異なるパターンの目の動き（例えば瞬きＹ回、眼球を上下に動かす）が検出されたとき、または、ユーザが例えば「これ」との発話したとき、再び代替文字コードの探索を開始する必要がないと判定して(ステップＳ７でＮ)、処理を終了する。これにより、現在表示されている文字の文字コードに代替文字コードを確定する。ステップＳ７において、所定時間経過しても瞬きが検出されないときや、ユーザが何も発話しなかったときも、文字コードの探索を開始する必要がないと判定して（ステップＳ７でＮ）、処理を終了する。
【００５２】
上述した実施例によれば、ユーザは特定の反応をするだけで、代替文字コードに基づいて変換した文字が表示されるため、簡単に文字化けを修正することができる。
【００５３】
上述した実施例によれば、ユーザの目の動きに関する所定の反応があったとき、文字コードの探索を開始させてもよい。これにより、ユーザが普通の状態ではしないようなユーザの目の動きを検出すると、代替文字コードの探索が開始され、文字化けを修正することができる。
【００５４】
上述した実施例によれば、上記ユーザの目の動きに関する所定の反応は、所定のパターンの眼球又は瞼の動きである。目の動きのパターンを定めることにより、簡単に所定の目の動きを検出できる。
【００５５】
上述した実施例によれば、サーバ装置１０が、楽曲情報の曲調解析結果に応じた優先度で探索された文字コードを送信し、車載機２０が、送信された文字コードを代替文字コードとして文字データを変換する。これにより、迅速に適切な文字コードを探索することができる。
【００５６】
上述した実施例によれば、車載機２０は、通信部２２を介して通信を行うことによりサーバ装置１０に文字コードの探索を開始させている。これにより、複数の文字コードをサーバ装置１０に記憶させればよく、車載機２０に記憶させる必要がないため、情報表示装置の記憶データ容量の削減やコストダウン等を図ることができる。
【００５７】
上述した実施例によれば、車載機２０は、通信部２２を介してサーバ装置１０に楽曲情報の曲調解析を開始させている。これにより、曲調解析がサーバ装置１０で行われるため、車載機２０の処理量の軽減を図ることができる。
【００５８】
上述した実施例によれば、車載機２０は、代替文字コードに基づいて文字データを変換した文字を表示部２７に表示させた後、ユーザの反応に基づき表示部２７に表示された文字の文字コードに代替文字コードを確定するか、再び文字コードの検索を開始させるか判定している。これにより、一旦定めた代替文字コードが正しくなかった場合にも、更なるユーザの反応により、簡単に新たな代替文字コードを確定できる。
【００５９】
なお、上述した実施例では、ステップＳ３、Ｓ７において、ユーザの目の動き及びユーザの発話を検出して、ユーザの反応を検出していたが、これに限ったものではない。ユーザの目の動き及びユーザの発話の何れか一方だけを、ユーザの反応として検出するようにしてもよい。また、これに限らず、モーションセンサなどを設け、ユーザの頭の動きや顔の向きの変化、腕の動き、指の動き等をユーザの反応として検出するようにしてもよい。即ち、ユーザが表示された文字に対する通常の動作とは異なる驚きを示すような動作、その他の異常な反応、予め取り決められた反応を検出できる手法であれば、開示される手法に限定されるものではなく、他の公知の技術を用いてユーザの反応を検出するようにしてもよい。
【００６０】
また、上述した実施例では、サーバ装置１０が文字コードの探索を行っていたが、これに限ったものではない。例えば、車載機２０の記憶装置２３に複数の文字コードを記憶させ、車載機２０がこの記憶装置２３の中から文字コードを探索するようにしてもよい。また、サーバ装置１０及び車載機２０の双方で文字コードを検索するようにしてもよい。
【００６１】
また、上述した実施例では、サーバ装置１０が曲調解析を行っていたがこれに限ったものではない。車載機２０が曲調解析を行うようにしてもよい。
【００６２】
また、上述した実施例によれば、車載機２０は、文字コードで変換された文字を表示した後、ユーザの反応を検出して文字コードの探索を再び開始する必要があるかを判定していたが、これに限ったものではない。代替文字コードで変換された文字を表示した後、車載機２０は、ユーザの反応を検出せずに、そのまま処理を終了するようにしてもよい。
【００６３】
また、上述した実施例によれば、曲調や使用してる言語などに基づいた優先度で文字コードを送信していたが、これに限ったものではない。例えば、楽曲情報のソース源に対する確定された代替文字コードを学習し、学習結果に応じた優先度で文字コードを送信するようにしてもよい。これにより、一度、楽曲情報が再生され、代替文字コードが確定されたソース源から再び楽曲情報を取得すると、前回確定された代替文字コードが優先的に探索されて送信される。これにより、迅速に適切な文字コードを探索できる。
【００６４】
また、上述した情報表示装置としては、車載機２０に限らず、移動体外でも使える携帯電話やスマートフォンなどの携帯端末やタブレット型のパーソナルコンピュータなどでもよい。
【００６５】
また、上述した実施例では、コンテンツ情報として楽曲情報を一例にしていたが、これに限ったものではない。コンテンツ情報としては、動画情報などであってもよい。
【００６６】
なお、本発明は上記実施形態に限定されるものではない。即ち、本発明の骨子を逸脱しない範囲で種々変形して実施することができる。
【符号の説明】
【００６７】
１０  サーバ装置
２０  車載機（情報表示装置）
２１  制御部（検出部、第１制御部、第２制御部）
２２  通信部
２４  情報取得部
２５  撮像部（検出部）
２７  表示部
２９  音入力部（検出部）
【図１】
2018156278.tif 000003
【図２】
2018156278.tif 000004
【図３】
2018156278.tif 000005